(57)【要約】【課題】空気整流体の装着時に、支点側については誤って中に入りにくくし、挿入側については入れやすくしたショーケースを提供する。【解決手段】取付口３２に着脱可能に取り付けられた空気整流体３４を備えるショーケース１０において、空気整流体３４は、取付口３２の一方の側部に設けられた回転支点側の支点側部材と、他方の側部に設けられた挿入側の挿入側部材との間に挟まれた態様で取付口３２に取り付けられるものであり、空気整流体３４の回転支点側に、支点側部材に係止可能な係止フックを設け、挿入側部材の形状を、空気整流体３４の挿入方向に向けて次第に取付口３２の径を縮小するテーパー形状とした。【選択図】図１
2015175573.tif 000002
【特許請求の範囲】
【請求項１】
取付口に着脱可能に取り付けられた空気整流体を備えるショーケースにおいて、
前記空気整流体は、前記取付口の一方の側部に設けられた回転支点側の支点側部材と、他方の側部に設けられた挿入側の挿入側部材との間に挟まれた態様で前記取付口に取り付けられるものであり、
前記空気整流体の回転支点側に、前記支点側部材に係止可能な係止フックを設け、
前記挿入側部材の形状を、前記空気整流体の挿入方向に向けて次第に前記取付口の径を縮小するテーパー形状としたことを特徴とするショーケース。
【発明の詳細な説明】
【技術分野】
【０００１】
本発明は、スーパーマーケットやコンビニエンスストア等の店舗に設置されるショーケースに関するものである。
【背景技術】
【０００２】
従来、スーパーマーケットやコンビニエンスストア等の店舗に設置されるショーケースが知られている。こうしたショーケースは例えば、前面を開口したショーケース本体と、ショーケース本体内に設けた上下多段の商品陳列棚と、ショーケース本体内の下面、後面、上面に沿ってコ字状に形成した通風ダクトと、通風ダクトに設けた冷却器および送風ファンとを備えている。そして、ショーケース本体の前面開口部の下端側の空気吸込口から通風ダクト内に吸入した空気を冷却器で冷却し、ショーケース本体の前面開口部の上端側の空気吐出口から吐出することによって、ショーケース本体の前面開口部に冷気のエアカーテンを形成するようになっている。
【０００３】
このようなショーケースにおいて、空気吐出口から吐出される空気を整流するために、ここにハニカム整流体などの空気整流体を取り付けたものが知られている（例えば、特許文献１、２を参照）。
【０００４】
図３は、従来のハニカム整流体の取り付け構造の一例を示したものである。この図に示すように、ハニカム整流体１は、側面視で略台形状の構造体であり、上面側に設けられる上面部材２と、下面側に設けられる突出部材３とを有している。
【０００５】
一方、ショーケース本体の空気吐出口４の後側面には、上下に突き出た鋼板からなる後側部材５が支持部材６を介して設けられる。また、空気吐出口４の前側面には、下方に鋭角に折り曲げられた鋼板からなるＶ字状断面の第一前側部材７と、第一前側部材７の通風ダクト８側の上側部分でこれの前側面と当接している鋼板からなる第二前側部材９とが設けられる。
【０００６】
第一前側部材７と第二前側部材９とで、ハニカム整流体１を通風ダクト８側に押す方向に付勢する板バネのような役目を果たしている。また、支持部材６は後側部分で、第一前側部材７は前側の上側部分で、第二前側部材９は上側部分でそれぞれショーケース本体に固定されている。ハニカム整流体１は、第一前側部材７および第二前側部材９と、後側部材５とによって、前後から挟まれるようにして空気吐出口４に着脱自在に取り付けられる。
【先行技術文献】
【特許文献】
【０００７】
【特許文献１】特開２０１２−７５８１０号公報
【特許文献２】実開昭６２−１６２５６９号公報
【発明の概要】
【発明が解決しようとする課題】
【０００８】
ところで、上記の図３のハニカム整流体１の取り付け構造において、ハニカム整流体１を空気吐出口４に装着する際には、図４に示すように、後側部材５の下端を回転支点として、ハニカム整流体１の前側部分を上方に押し入れることにより、ハニカム整流体１を第一前側部材７と後側部材５との間に挿入していた。
【０００９】
この場合、回転支点側となるハニカム整流体１の後側部分が誤って通風ダクト８内に入り込みやすいという問題があった。また、挿入側となるハニカム整流体１の前側部分が第一前側部材７の鋭角部を押しつぶしながら入る事態を招くなど、挿入しづらいという問題があった。このため、ハニカム整流体１の装着時に、支点側については誤って中に入りにくくし、挿入側については入れやすくすることが求められていた。
【００１０】
本発明は、このような点に鑑みてなされたものであり、空気整流体の装着時に、支点側については誤って中に入りにくくし、挿入側については入れやすくしたショーケースを提供することを目的とする。
【課題を解決するための手段】
【００１１】
上記した課題を解決し、目的を達成するために、本発明に係るショーケースは、取付口に着脱可能に取り付けられた空気整流体を備えるショーケースにおいて、前記空気整流体は、前記取付口の一方の側部に設けられた回転支点側の支点側部材と、他方の側部に設けられた挿入側の挿入側部材との間に挟まれた態様で前記取付口に取り付けられるものであり、前記空気整流体の回転支点側に、前記支点側部材に係止可能な係止フックを設け、前記挿入側部材の形状を、前記空気整流体の挿入方向に向けて次第に前記取付口の径を縮小するテーパー形状としたことを特徴とする。
【発明の効果】
【００１２】
本発明に係るショーケースによれば、取付口に着脱可能に取り付けられた空気整流体を備えるショーケースにおいて、前記空気整流体は、前記取付口の一方の側部に設けられた回転支点側の支点側部材と、他方の側部に設けられた挿入側の挿入側部材との間に挟まれた態様で前記取付口に取り付けられるものであり、前記空気整流体の回転支点側に、前記支点側部材に係止可能な係止フックを設け、前記挿入側部材の形状を、前記空気整流体の挿入方向に向けて次第に前記取付口の径を縮小するテーパー形状としたので、空気整流体の装着時に、支点側については誤って中に入りにくくし、挿入側については入れやすくすることができるという効果を奏する。
【図面の簡単な説明】
【００１３】
【図１】図１は、本発明の実施の形態に係るショーケースの一例を示す側断面図である。
【図２】図２は、本発明の実施の形態に係るショーケースのハニカム整流体を取り付ける直前の部分拡大図である。
【図３】図３は、従来のハニカム整流体の取り付け構造の一例を示す側断面図である。
【図４】図４は、従来のハニカム整流体の取り付け構造の課題を説明する図である。
【発明を実施するための形態】
【００１４】
以下に、本発明に係るショーケースの実施の形態について図面に基づいて詳細に説明する。なお、この実施の形態によりこの発明が限定されるものではない。
【００１５】
図１に示すように、本発明に係るショーケース１０は、前面を開口したショーケース本体１２と、ショーケース本体１２内に設けた上下多段の商品陳列棚１４と、ショーケース本体１２内の下面１６、後面１８、上面２０に沿ってコ字状に形成した通風ダクト２２を備える。通風ダクト２２内には冷却器２４および送風ファン２６が配置されている。
【００１６】
この構成においては、ショーケース本体１２の前面開口部２８の下端側に設けた空気吸込口３０から通風ダクト２２内に吸入した空気を冷却器２４で冷却し、ショーケース本体１２の前面開口部２８の上端側に設けた空気吐出口３２（取付口）から吐出することによって、ショーケース本体１２の前面開口部２８に冷気のエアカーテンを形成するようになっている。
【００１７】
ここで、空気吐出口３２には、ハニカム状の通気構造を有するハニカム整流体３４（空気整流体）が着脱可能に取り付けてある。このハニカム整流体３４の取り付け構造について説明する。
【００１８】
図２は、ハニカム整流体３４を取り付ける直前の状態を表したものである。この図に示すように、ハニカム整流体３４は、側面視で後側に行くに従い細くなる略台形状の構造体であり、空気吐出口３２に装着した際に、空気吐出口３２の後側面に設けた回転支点Ｐ側の支点側部材３６と、空気吐出口３２の前側面に設けた挿入側の挿入側部材３８との間に挟まれた態様で空気吐出口３２に取り付けられるようになっている。
【００１９】
ハニカム整流体３４は、回転支点Ｐ側に位置する後面側に設けられる係止フック４０と、上面側に設けられる上面部材４２と、下面側に設けられるＬ字状断面の突出部材４４とを有している。突出部材４４はハニカム整流体３４を空気吐出口３２に着脱する際に、把持するための部材である。
【００２０】
係止フック４０は、ハニカム整流体３４の後面下方の隅部に位置する爪状部４０ａと、この爪状部４０ａの根元からハニカム整流体３４の後面および上面に沿って延びる後面部材４０ｂとからなる。後面部材４０ｂの端部は、ハニカム整流体３４の上面に固定されている。爪状部４０ａは、支点側部材３６に係止可能なように側面視で上向きに拡開した略レ字形状となっている。
【００２１】
一方、支点側部材３６は、上下に突き出た鋼板からなり、支持部材４６を介してショーケース本体１２に設けられる。
【００２２】
挿入側部材３８は、下方に鋭角に折り曲げられた鋼板からなる略Ｖ字状断面のものである。この挿入側部材３８の空気吐出口３２に面する後側面３８ａの側面視形状は、ハニカム整流体３４の挿入方向に向けて次第に空気吐出口３２の径を縮小するように傾斜したテーパー形状としてある。また、挿入側部材３８の通風ダクト２２側の上側部分には、これの前側面と当接している鋼板からなる内側部材４８が設けられる。
【００２３】
ここで、上記の挿入側部材３８と内側部材４８とで、ハニカム整流体３４を通風ダクト２２側に押す方向に付勢する板バネのような役目を果たしている。このため、ハニカム整流体３４は、挿入側部材３８および内側部材４８と、支点側部材３６とによって、前後から挟まれるようにして空気吐出口３２に着脱自在に取り付けられる。なお、支点側部材３６を支持する支持部材４６は後側部分で、挿入側部材３８は前側の上側部分で、内側部材４８はその上側部分でそれぞれショーケース本体１２に固定されている。
【００２４】
上記のハニカム整流体３４の取り付け構造において、ハニカム整流体３４を空気吐出口３２に装着する際には、図２に示すように、ハニカム整流体３４の後面下方の隅部の係止フック４０の爪状部４０ａを支点側部材３６の下端部に係止しつつ、ハニカム整流体３４の上面部材４２を挿入側部材３８のテーパー形状の後側面３８ａに押し当てた状態とする。そして、支点側部材３６の下端部を回転支点Ｐとして、ハニカム整流体３４の前側部分を回転しながら上方に押し入れることにより、ハニカム整流体３４を支点側部材３６と挿入側部材３８との間に挿入する。
【００２５】
この場合、ハニカム整流体３４は、係止フック４０の爪状部４０ａが支点側部材３６の下端部に係止した状態で回転支点Ｐの周りに回転移動するので、ハニカム整流体３４の後側部分は通風ダクト２２内に入りづらくなる。
【００２６】
一方、ハニカム整流体３４の回転移動の際に挿入側となるハニカム整流体３４の前側部分は、その上面部材４２が挿入側部材３８のテーパー形状の後側面３８ａに当接しながら上方に入り込む。このように、ハニカム整流体３４の挿入側については入れやすくなる。したがって、ハニカム整流体３４の挿入側が挿入側部材３８の鋭角部を押しつぶしながら入る事態を回避することができる。
【００２７】
このように、本発明によれば、ハニカム整流体３４を空気吐出口３２に装着する際に、支点側については誤って通風ダクト２２側に入りにくくし、挿入側については通風ダクト２２側に入れやすくすることができるという効果を奏する。
【００２８】
以上説明したように、本発明に係るショーケースによれば、取付口に着脱可能に取り付けられた空気整流体を備えるショーケースにおいて、前記空気整流体は、前記取付口の一方の側部に設けられた回転支点側の支点側部材と、他方の側部に設けられた挿入側の挿入側部材との間に挟まれた態様で前記取付口に取り付けられるものであり、前記空気整流体の回転支点側に、前記支点側部材に係止可能な係止フックを設け、前記挿入側部材の形状を、前記空気整流体の挿入方向に向けて次第に前記取付口の径を縮小するテーパー形状としたので、空気整流体の装着時に、支点側については誤って中に入りにくくし、挿入側については入れやすくすることができる。
なお、空気吐出口３２が１層のショーケースについて説明したが、複数層の空気吐出口を設け、各吐出口にハニカム整流体を備えたショーケースにも適用可能である。
【産業上の利用可能性】
【００２９】
以上のように、本発明に係るショーケースは、スーパーマーケットやコンビニエンスストア等の店舗に設置されるショーケースに有用であり、特に、空気吐出口に対する空気整流体の装着時に、支点側については誤って中に入りにくくし、挿入側については入れやすくするのに適している。
【符号の説明】
【００３０】
１０  ショーケース
１２  ショーケース本体
１４  商品陳列棚
１６  下面
１８  後面
２０  上面
２２  通風ダクト
２４  冷却器
２６  送風ファン
２８  前面開口部
３０  空気吸込口
３２  空気吐出口（取付口）
３４  ハニカム整流体（空気整流体）
３６  支点側部材
３８  挿入側部材
３８ａ  後側面
４０  係止フック
４０ａ  爪状部
４０ｂ  後面部材
４２  上面部材
４４  突出部材
４６  支持部材
４８  内側部材
Ｐ  回転支点
【図１】
2015175573.tif 000003
【図２】
2015175573.tif 000004
【図３】
2015175573.tif 000005
【図４】
2015175573.tif 000006